(57)【特許請求の範囲】
【請求項１】
構築物の解体方法であって、前記構築物の基礎部分Ａよりも上方の部分Ｂを保持するとともに、該部分Ｂよりも更に上方の部分Ｃを保持し、続いて、前記基礎部分Ａと前記部分Ｂとの境界部及び前記部分Ｂと前記部分Ｃとの境界部を切断して該部分Ｂを分離し、続いて、前記部分Ｃを上昇させた後、前記部分Ｂを上昇させて側方に移動させ、続いて、前記部分Ｃを前記基礎部分Ａの上方適当位置まで降下させることを特徴とする構築物の解体方法。
【請求項２】
構築物の解体方法であって、前記構築物の基礎部分Ａよりも上方の部分Ｂを保持するとともに、該部分Ｂよりも更に上方の部分Ｃ及び該部分Ｃよりも更に上方の部分Ｄを保持し、続いて、前記基礎部分Ａと前記部分Ｂとの境界部及び前記部分Ｂと前記部分Ｃとの境界部を切断して該部分Ｂを分離し、続いて、前記部分Ｃ及び部分Ｄを上昇させた後、前記部分Ｂを上昇させて側方に移動させ、続いて、前記部分Ｃ及び部分Ｄを前記基礎部分Ａの上方適当位置まで降下させ、続いて、前記部分Ｃを保持するとともに、前記部分Ｄを保持し、続いて、前記部分Ｃと前記部分Ｄとの境界部を切断して該部分Ｃを分離し、続いて、前記部分Ｄを上昇させた後、前記部分Ｃを上昇させて側方に移動させ、続いて、前記部分Ｄを前記基礎部分Ａの上方適当位置まで降下させることを特徴とする構築物の解体方法。
【請求項３】
構築物の解体方法であって、前記構築物の基礎部分Ａよりも上方の部分Ｂを保持するとともに、該部分Ｂよりも更に上方の部分Ｃ、更に上方の部分Ｄ、更に上方の部分Ｅ・・・を保持する保持工程と、前記部分Ａと前記部分Ｂとの境界部及び前記部分Ｂと前記部分Ｃとの境界部を切断して該部分Ｂを分離する切断分離工程と、前記部分Ｃ、部分Ｄ、部分Ｅ・・・を上昇させた後、前記部分Ｂを上昇させて側方に移動させる側方移動工程と、前記部分Ｃ、部分Ｄ、部分Ｅ・・・を前記基礎部分Ａの上方適当位置まで降下させる降下工程とからなる第一解体処理を行い、続いて、前記部分Ｃを保持するとともに、前記部分Ｄ、部分Ｅ・・・を保持する保持工程と、前記部分Ｃと前記部分Ｄとの境界部を切断して該部分Ｃを分離する切断分離工程と、前記部分Ｄ、部分Ｅ・・・を上昇させた後、前記部分Ｃを上昇させて側方に移動させる側方移動工程と、前記部分Ｄ、部分Ｅ・・・を前記基礎部分Ａの上方適当位置まで降下させる降下工程とからなる第二解体処理を行い、以降、前記部分Ｄより上方の部分Ｅ・・・に対して同様に解体処理を順次繰り返して行うことを特徴とする構築物の解体方法。
【請求項４】
請求項１〜３いずれか１項に記載の構築物の解体方法において、前記部分Ｂ及び前記部分Ｃの保持は、該部分Ｂ及び該部分Ｃの外周面における保持であることを特徴とする構築物の解体方法。
【請求項５】
請求項１〜３いずれか１項に記載の構築物の解体方法において、前記部分Ｂ及び前記部分Ｃの保持は、該部分Ｂ及び該部分Ｃに突体を嵌入することによる保持であることを特徴とする構築物の解体方法。
【請求項６】
請求項５記載の構築物の解体方法において、前記突体の先端部には穿孔装置８が設けられていることを特徴とする構築物の解体方法。
【請求項７】
請求項１〜６いずれか１項に記載の構築物の解体方法において、前記構築物の基礎部分Ａは地面より所定高さ突出した部分であることを特徴とする構築物の解体方法。
【請求項８】
構築物の解体方法であって、この構築物は、地面より所定高さ突出した基礎部分Ａの上方に順次部分Ｂ及び部分Ｃが連設された構成であり、前記部分Ｃを保持し、続いて、前記基礎部分Ａと前記部分Ｂとの境界部及び前記部分Ｂと前記部分Ｃとの境界部を切断して該部分Ｂを分離し、続いて、前記部分Ｃを上昇させた後、前記部分Ｂを上昇させて側方に移動させ、続いて、前記部分Ｃを前記基礎部分Ａの上方適当位置まで降下させることを特徴とする構築物の解体方法。
【請求項９】
構築物の解体方法であって、前記構築物は地面より所定の高さ突出した基礎部分Ａの上に順次部分Ｂ、部分Ｃ、部分Ｄ・・・が連設された構成であり、最初に基礎部分Ａよりも上方の部分Ｂを分離して該部分Ｂよりも上方の部分Ｃ、部分Ｄ・・・を上昇させた後、該部分Ｂを上昇させて側方に移動させ、続いて、前記部分Ｃ、部分Ｄ・・・を前記基礎部分Ａの上方適当位置まで降下させ、続いて、前記部分Ｃを分離して該部分Ｃよりも上方の部分Ｄ・・・を上昇させた後、該部分Ｃを上昇させて側方に移動させ、続いて、前記部分Ｄ・・・を前記基礎部分Ａの上方適当位置まで降下させ、以降、前記部分Ｄより上方の部分Ｅ・・・を分離して移動させることで構築物を解体することを特徴とする構築物の解体方法。
【発明の詳細な説明】
【０００１】
【発明の属する技術分野】
本発明は、構築物の解体方法に関するものである。
【０００２】
【従来の技術及び発明が解決しようとする課題】
従来、例えば煙突等の背高い構築物の解体作業は、該構築物が解体機の届かない高さであった場合には、構築物の周囲に足場を設置して人力によって上方から下方へと順次解体していた。
【０００３】
従って、この従来から行われている解体方法は、構築物の高さが高くなればなるほど作業が厄介であり、その他にも高所作業故、破砕物が落下する危険があり、更に、構築物の高さに見合った大型のクレーン等の荷卸し専用の機械が常に必要であるなどの問題点があった。
【０００４】
本出願人は、上述した問題点に着目し、従来にない画期的な構築物の解体方法を発明した。
【０００５】
【課題を解決するための手段】
添付図面を参照して本発明の要旨を説明する。
【０００６】
構築物の解体方法であって、前記構築物の基礎部分Ａよりも上方の部分Ｂを保持するとともに、該部分Ｂよりも更に上方の部分Ｃを保持し、続いて、前記基礎部分Ａと前記部分Ｂとの境界部及び前記部分Ｂと前記部分Ｃとの境界部を切断して該部分Ｂを分離し、続いて、前記部分Ｃを上昇させた後、前記部分Ｂを上昇させて側方に移動させ、続いて、前記部分Ｃを前記基礎部分Ａの上方適当位置まで降下させることを特徴とする構築物の解体方法に係るものである。
【０００７】
また、構築物の解体方法であって、前記構築物の基礎部分Ａよりも上方の部分Ｂを保持するとともに、該部分Ｂよりも更に上方の部分Ｃ及び該部分Ｃよりも更に上方の部分Ｄを保持し、続いて、前記基礎部分Ａと前記部分Ｂとの境界部及び前記部分Ｂと前記部分Ｃとの境界部を切断して該部分Ｂを分離し、続いて、前記部分Ｃ及び部分Ｄを上昇させた後、前記部分Ｂを上昇させて側方に移動させ、続いて、前記部分Ｃ及び部分Ｄを前記基礎部分Ａの上方適当位置まで降下させ、続いて、前記部分Ｃを保持するとともに、前記部分Ｄを保持し、続いて、前記部分Ｃと前記部分Ｄとの境界部を切断して該部分Ｃを分離し、続いて、前記部分Ｄを上昇させた後、前記部分Ｃを上昇させて側方に移動させ、続いて、前記部分Ｄを前記基礎部分Ａの上方適当位置まで降下させることを特徴とする構築物の解体方法に係るものである。
【０００８】
また、構築物の解体方法であって、前記構築物の基礎部分Ａよりも上方の部分Ｂを保持するとともに、該部分Ｂよりも更に上方の部分Ｃ、更に上方の部分Ｄ、更に上方の部分Ｅ・・・を保持する保持工程と、前記部分Ａと前記部分Ｂとの境界部及び前記部分Ｂと前記部分Ｃとの境界部を切断して該部分Ｂを分離する切断分離工程と、前記部分Ｃ、部分Ｄ、部分Ｅ・・・を上昇させた後、前記部分Ｂを上昇させて側方に移動させる側方移動工程と、前記部分Ｃ、部分Ｄ、部分Ｅ・・・を前記基礎部分Ａの上方適当位置まで降下させる降下工程とからなる第一解体処理を行い、続いて、前記部分Ｃを保持するとともに、前記部分Ｄ、部分Ｅ・・・を保持する保持工程と、前記部分Ｃと前記部分Ｄとの境界部を切断して該部分Ｃを分離する切断分離工程と、前記部分Ｄ、部分Ｅ・・・を上昇させた後、前記部分Ｃを上昇させて側方に移動させる側方移動工程と、前記部分Ｄ、部分Ｅ・・・を前記基礎部分Ａの上方適当位置まで降下させる降下工程とからなる第二解体処理を行い、以降、前記部分Ｄより上方の部分Ｅ・・・に対して同様に解体処理を順次繰り返して行うことを特徴とする構築物の解体方法に係るものである。
【０００９】
また、請求項１〜３いずれか１項に記載の構築物の解体方法において、前記部分Ｂ及び前記部分Ｃの保持は、該部分Ｂ及び該部分Ｃの外周面における保持であることを特徴とする構築物の解体方法に係るものである。
【００１０】
また、請求項１〜３いずれか１項に記載の構築物の解体方法において、前記部分Ｂ及び前記部分Ｃの保持は、該部分Ｂ及び該部分Ｃに突体を嵌入することによる保持であることを特徴とする構築物の解体方法に係るものである。
【００１１】
また、請求項５記載の構築物の解体方法において、前記突体の先端部には穿孔装置８が設けられていることを特徴とする構築物の解体方法に係るものである。
【００１２】
また、請求項１〜６いずれか１項に記載の構築物の解体方法において、前記構築物の基礎部分Ａは地面より所定高さ突出した部分であることを特徴とする構築物の解体方法に係るものである。
【００１３】
また、構築物の解体方法であって、この構築物は、地面より所定高さ突出した基礎部分Ａの上方に順次部分Ｂ及び部分Ｃが連設された構成であり、前記部分Ｃを保持し、続いて、前記基礎部分Ａと前記部分Ｂとの境界部及び前記部分Ｂと前記部分Ｃとの境界部を切断して該部分Ｂを分離し、続いて、前記部分Ｃを上昇させた後、前記部分Ｂを上昇させて側方に移動させ、続いて、前記部分Ｃを前記基礎部分Ａの上方適当位置まで降下させることを特徴とする構築物の解体方法に係るものである。
【００１４】
また、構築物の解体方法であって、前記構築物は地面より所定の高さ突出した基礎部分Ａの上に順次部分Ｂ、部分Ｃ、部分Ｄ・・・が連設された構成であり、最初に基礎部分Ａよりも上方の部分Ｂを分離して該部分Ｂよりも上方の部分Ｃ、部分Ｄ・・・を上昇させた後、該部分Ｂを上昇させて側方に移動させ、続いて、前記部分Ｃ、部分Ｄ・・・を前記基礎部分Ａの上方適当位置まで降下させ、続いて、前記部分Ｃを分離して該部分Ｃよりも上方の部分Ｄ・・・を上昇させた後、該部分Ｃを上昇させて側方に移動させ、続いて、前記部分Ｄ・・・を前記基礎部分Ａの上方適当位置まで降下させ、以降、前記部分Ｄより上方の部分Ｅ・・・を分離して移動させることで構築物を解体することを特徴とする構築物の解体方法に係るものである。
【００１５】
【発明の作用及び効果】
構築物１の解体に際して、構築物１の基礎部分Ａよりも上方の部分Ｂを保持するとともに、該部分Ｂよりも上方の部分Ｃを保持する。
【００１６】
続いて、基礎部分Ａと部分Ｂとの境界部及び部分Ｂと部分Ｃとの境界部を切断して該部分Ｂを分離する。
【００１７】
続いて、切断分離された部分Ｂを側方に移動するとともに、部分Ｃを部分Ｂが抜けた分だけ降下させ、基礎部分Ａの上方適当位置に位置せしめる。
【００１８】
本発明は、上述のように部分Ｂを切断して分離する際、部分Ｂを保持し、且つ、部分Ｂより上方の部分Ｃを保持する構成であるから、当該部分Ｂの切断や移動が安定的に行えることになり、この点において安全且つ良好に解体作業が行えることになる。
【００１９】
以上のように、本発明は、従来にない画期的な作用効果を発揮する。
【００２０】
【発明の実施の形態】
図面は本発明の一実施例を図示したものであり、以下に説明する。
【００２１】
本実施例は、構築物１、例えば煙突等の塔状のものや、背高いビル等の解体方法であり、実施に際しては、構築物１の周囲に支持体２が配設される。
【００２２】
支持体２は、図１に図示したように骨材を縦横に継合連結してなる枠状構造体であり、具体的には、構築物１の周囲に立設される４本の支柱３と、この４本の各支柱３間にして上下方向に所定間隔を介して架設される横桟４とで構成されている。
【００２３】
また、支持体２の下部は、極めて安定している構築物１の基礎部分Ａに当接する図示省略の固定装置により支持されており、よって、支持体２は安定且つ堅固に立設される。尚、本実施例では、地中に埋設される土台部１ａ及び地面15から所定距離Ｌまでの露出する棒状部分１ｂまでを基礎部分Ａとしている。
【００２４】
また、支持体２は、その上部に図示省略の支承装置が設けられており、この支承装置により、構築物１は安定支承され、よって、構築物１の所定位置の切断分離の際及び構築物１の降下の際の該構築物１の揺動は可及的に防止される。
【００２５】
また、この支持体２には上下一対のリフト装置（上方リフト装置５及び下方リフト装置６）が設けられ、この各リフト装置５，６は支持体２の下方所定位置を昇降し得るように構成されている。
【００２６】
上方リフト装置５は、支持体２の支柱３の内側に沿って昇降し得るように構成されており、その所定位置（前後左右位置）には内側へ突出する４つの突体７が設けられている。
【００２７】
この４つの突体７のうち、図示した左右の対向する２つの突体７と、その他の前後の２つの対向する突体７とは段違い状態に設けられている。これは構築物１を保持した際、構築物１の同一平面位置に嵌入させて保持した場合に比し、構築物１を破損することなく堅固に保持するための構成である。
【００２８】
また、突体７は、構築物１に対して接離移動自在（嵌入自在）に設けられており、その先端部には穿孔装置８（コアカッター）が設けられ、この穿孔装置８を構築物１に当接させることで所定径の孔を形成し得るように構成されている。
【００２９】
従って、上方リフト装置５に係る穿孔装置８により構築物１の周面所定位置に４つの孔を形成することができ、そして、この孔に突体７を嵌入することで構築物１をしっかりと確実に保持することができる。
【００３０】
下方リフト装置６は、上方リフト装置５と同様、支持体２に係る支柱３の内側に沿って昇降し得るように構成されており、その所定位置には内側へ突出する４つの突体９が設けられている。
【００３１】
この突体９も前述した突体７と同様、図示した左右の対向する２つの突体９と、その他の前後の２つの対向する突体９とは段違い状態に設けられている。
【００３２】
また、突体９は、構築物１に対して接離移動自在（嵌入自在）に設けられており、前記のような穿孔装置は設けられておらず、前記上方リフト装置５の穿孔装置８にて形成された孔に突体９を嵌入することで構築物１をしっかりと確実に保持するように構成されている。尚、下方リフト装置６にも穿孔機能を具備せしめても良い。
【００３３】
また、下方リフト装置６は、自走機能を有して側方へ移動可能であり、切断分離した構築物１に係る部分（切断体13）を突体９で保持したまま後述する切断体処理部10へ搬送し得るように構成されている。
【００３４】
尚、本実施例では、支持体２に上方リフト装置５（突体７）及び下方リフト装置６（突体９）を設けて構築物１を２箇所で支持する構成としているが、１箇所で支持、或いは、３箇所以上で支持するようにしても良く、また、突体による嵌入支持に限らず、例えば内部にエアーバックを挿入して安定させつつ外部をリングで締め付けるといった支持方法を採用するなど、本実施例の特性を発揮する構成であれば適宜採用するものである。
【００３５】
また、支持体２には構築物１を切断するための一対の切断装置（図示省略）が設けられており、この各切断装置は構築物１を輪切り状態に切断し得るように構成されている。
【００３６】
上方の切断装置は上方リフト装置５よりも下方にして下方リフト装置６よりも上方に位置する部位（上下の部分同志の境界部）を切断し得るように設けられ、下方の切断装置は下方リフト装置よりも下方に位置する部位（上下の部分同志の境界部）を切断し得るように設けられている。
【００３７】
従って、この上下の切断装置により構築物１の所定部分が切断され切断体13が形成される。
【００３８】
処理部10は、図１に図示したように支持体２の側方部分にして下方部分に前記支持体２と同様な支柱11と横桟12とから成る枠状構造体を設置して構成されており、この処理部10には下方リフト装置６により支持体２から側方へ搬送してきた切断体13を下方リフト装置６とともに昇降せしめる図示省略の昇降装置が設けられている。
【００３９】
従って、この昇降装置により、処理部10に搬送された下方リフト装置６により保持した切断体13を下方へ下ろすことができる。
【００４０】
また、処理部10は、その下部に切断体13を搬送する搬送車輌が待機する車輌待機部14が設けられており、この車輌待機部14に搬送車輌を待機させておき、昇降装置により降下させてきた切断体13をそのまま搬送車輌に積むことができる。尚、処理部10に切断体13を破砕する破砕装置などを設けても良く、この際、処理部10にカバーなどすれば、粉塵の飛散を防止することが出来る。
【００４１】
以上の構成を用いて本実施例に係る構築物１の解体方法が実施される。
【００４２】
具体的には、本実施例に係る構築物１の解体方法は、次に列記するａ〜ｇまでの工程から成る第一解体処理を行い、それ以降は、ｈ〜ｋまでの工程から成る第二解体処理を順次繰り返し行うことで構築物１を解体するものであり、最後に基礎部分Ａの除去作業を行い解体作業は完了する。尚、本実施例では、構築物１をコンクリート製の煙突を対象としているが、例えば鉄塔を解体する対象にしても良く、本実施例の応用範囲は多岐にわたるものである。
【００４３】
ａ  まず、煙突１の周囲に支持体２を組む。
【００４４】
ｂ  続いて、上方リフト装置５を下方リフト装置６に係る突体９で煙突１を保持する位    置（煙突１の基礎部分Ａよりも上方の部分Ｂの位置）まで降ろし、煙突１の周面４箇    所に穿孔装置８により孔を形成する。この際、下方リフト装置６は僅か下方へ退避し    ている。
【００４５】
ｃ  続いて、上方リフト装置５を上昇させて部分Ｂよりも上方の部分Ｃに穿孔装置８で    孔を形成しながら突体７を嵌入することで当該部分Ｃを保持するとともに、下方リフ    ト装置６も上昇させ、上方リフト装置５で形成した孔に突体９を嵌入することで当該 部分Ｂを保持する（図２−ｂの保持工程）。
【００４６】
ｄ  続いて、基礎部分Ａと部分Ｂとの境界部を下方の切断装置で切断するとともに、前    記部分Ｂと部分Ｃとの境界部を上方の切断装置で切断分離して、部分Ｂ（切断体13）    を形成する（図２−ｃの切断分離工程）。
【００４７】
ｅ  続いて、部分Ｂ（切断体13）を下方リフト装置６に係る突体９で保持した状態のま    ま側方に移動させて処理部10へ移動する（図２−ｄの側方移動工程）。この際、部分    Ｂ（切断体13）の側方への移動が良好に行われるように上方リフト装置５を僅かに上    昇させるとともに、下方リフト装置６も僅かに上昇させて部分Ｃと部分Ｂとの間及び    基礎部分Ａと部分Ｂとの間に十分な隙間を形成してから側方へ移動させる。
【００４８】
ｆ  続いて、処理部10にて昇降装置を降下させて部分Ｂ（切断体13）を下方で待機して    いる搬送車輌にそのまま積んで搬送処理を行う。
【００４９】
ｇ  続いて、上方リフト装置５に係る突体７を嵌入させることで保持したまま部分Ｃを    基礎部分Ａの上方適当位置まで降下させる（図２−ｅの降下工程）。
【００５０】
ｈ  続いて、上方リフト装置５を部分Ｃよりも上方の部分Ｄに穿孔装置８で孔を形成し    ながら突体７を嵌入することで当該部分Ｄを保持するとともに、下方リフト装置６に    係る突体９を、上方リフト装置５に係る突体７を嵌入させていた孔に嵌入することで    当該部分Ｃを保持する（保持工程）。
【００５１】
ｉ  続いて、部分Ｃと部分Ｄとの境界部を上方の切断装置で切断分離して、部分Ｃから    成る切断体13を形成する（切断分離工程）。
【００５２】
ｊ  続いて、部分Ｃ（切断体13）を下方リフト装置６に係る突体９で保持した状態のま    ま側方に移動させて処理部10へ移動し（側方移動工程）、この処理部10にて部分Ｃ（    切断体13）は処理される。
【００５３】
ｋ  続いて、上方リフト装置５に係る突体７を嵌入させることで保持したまま部分Ｄを    基礎部分Ａの上方適当位置まで降下させる（降下工程）。
【００５４】
尚、その後は、上方リフト装置５を部分Ｄよりも上方の部分Ｅに穿孔装置８で孔を    形成しながら突体７を嵌入することで当該部分Ｅを保持するとともに、下方リフト装    置６に係る突体９を、上方リフト装置５に係る突体７を嵌入させていた孔に嵌入する    ことで当該部分Ｄを保持し、続いて、部分Ｄと部分Ｅとの境界部を上方の切断装置で    切断分離して、部分Ｄ（切断体13）を形成し、続いて、部分Ｄ（切断体13）を下方リ    フト装置６に係る突体９で保持した状態のまま側方に移動させて処理部10へ移動し、    この処理部10にて部分Ｃ（切断体13）は処理され、続いて、上方リフト装置５に係る    突体７を嵌入させることで保持したまま部分Ｅ・・・を基礎部分Ａの上方適当位置ま  で降下させる。
【００５５】
本実施例は上述のように構成したから、部分Ｂ、部分Ｃ、部分Ｄ、部分Ｅ・・・を切断して分離する際、例えば部分Ｂの場合、部分Ｂを保持し、且つ、部分Ｂより上方の部分Ｃを保持するという２箇所による支持構成であるから、当該部分Ｂ、部分Ｃ、部分Ｄ、部分Ｅ・・・の切断や移動が安定的に行えることになり（特に切断時には急激な落下がなく安定が確保される。）、この点において安全且つ良好に解体作業が行えることになる。
【００５６】
また、本実施例は、構築物１の各部分の保持は、該部分の外周面における保持であるから、構築物１を安定的にしっかりと確実に保持することができるのは勿論、切断時に構築物１を保持した状態のまま側方への移動が可能となり、極めて効率良く安全且つ良好に解体作業が行えることになる。
【００５７】
また、本実施例は、構築物１の各部分に突体７，９を嵌入することで保持する構成であるから、構築物１の切断分離した各部分の移動を安定的に行えることになる。
【００５８】
また、本実施例は、構築物１の切断分離作業は構築物１の下方（基礎部分Ａ付近）で行い、その後の処理は、地上で行うことになるから、作業が安全且つ良好に行え極めて作業性に秀れることになる。
【００５９】
また、本実施例は、地面より所定の高さＬ突出した基礎部分Ａよりも上方の部分で構築物１の切断分離作業（切断体13の形成）が行われることになるから、例えば切断分離した切断体13を側方へさせた後も、この切断体13は所定の高さに位置することになり、よって、この切断体13を降下させることで、例えばそのままトラックなどの搬送車輌に載せて他の場所へ搬送したり、或いは、その場で破砕機などで破砕したりすることができるなど、その後の処理が良好に行え極めて効率の良い解体作業が行われることになり、そして更に、支持体２の固定が極めて安定した状態にある基礎部分Ａへの固定で行われることになり、例えば支持体２自体を支えるための大掛かりな装置等が特に必要ないから、工費の低減が達成され、しかも、解体作業自体が迅速且つ確実に行えることになる。
【００６０】
また、本実施例は、その解体方法から解体装置（設備）を低くすることができるから、迅速且つコスト安に作業が行えることになる。
【００６１】
尚、本発明は、本実施例に限られるものではなく、各構成要件の具体的構成は適宜設計し得るものである。
【図面の簡単な説明】
【図１】  本実施例に係る構築物の解体装置の説明図である。
【図２】  本実施例に係る構築物の解体方法の説明図である。
【符号の説明】
Ａ  基礎部分
Ｂ  部分
Ｃ  部分
Ｄ  部分
Ｅ  部分
【図１】
0003898067.tif 000002
【図２】
0003898067.tif 000003